【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
ナビゲーション装置と、
複数のユーザ端末と、
通信ネットワークを介して前記ナビゲーション装置および前記複数のユーザ端末と通信するセンタサーバと
を備え、
前記センタサーバは、
前記ナビゲーション装置の現在位置を示す情報を格納する位置情報格納部と、
目的地点を示す記号を格納する記号情報格納部と、
地点を示す文字列に対応付けて、当該地点の位置情報を格納する地図データベースと、
前記ナビゲーション装置の現在位置に近い順に、文字列が示す地点の位置情報を対応する文字列と共に格納する目的地点情報格納部と、
前記ナビゲーション装置から当該ナビゲーション装置の現在位置を示す情報を受信した場合に、前記受信した現在位置を示す情報で前記位置情報格納部内の情報を更新する位置情報更新部と、
チャットにログインしているユーザのＩＤを管理し、チャットにログインしているユーザが使用するユーザ端末からメッセージを受信した場合に、受信したメッセージをチャットにログインしているユーザのユーザ端末へ送信するチャットサービス部と、
前記チャットサービス部がユーザ端末から受信したメッセージ内に、前記目的地点を示す記号が存在する場合に、当該記号で指定される文字列に対応する地点の位置情報を前記地図データベースから抽出する記号処理部と、
前記記号処理部が抽出した文字列および位置情報を前記目的地点情報格納部に追加格納し、前記目的地点情報格納部内の文字列を、対応する位置情報が前記ナビゲーション装置の現在位置に近い順にソートし、ソートした文字列に前記ナビゲーション装置の現在位置に近い順に番号を対応付けて、チャットにログインしているユーザのユーザ端末へ送信する目的地点情報更新部と
を有し、
前記ユーザ端末は、
ユーザの操作に応じて入力されたメッセージを前記センタサーバへ送信すると共に、前記センタサーバから送信されたメッセージを表示するチャットクライアント部と、
前記センタサーバから送信された文字列を、前記ナビゲーション装置の現在位置に近い順に並べて表示する目的地点情報表示部と
を有し、
前記ナビゲーション装置は、
当該ナビゲーション装置の現在位置を算出する現在位置算出部と、
所定のタイミングで、前記現在位置算出部により算出された現在位置を、前記センタサーバへ送信する現在位置送信部と
を有することを特徴とするＷｅｂ掲示板システム。
【請求項２】
請求項１に記載のＷｅｂ掲示板システムであって、
前記ユーザ端末は、
前記目的地点情報表示部によって前記ナビゲーション装置の現在位置に近い順に表示された文字列について、ユーザからの操作に応じて通過順番を示す情報と共に、経路探索を指示された場合に、通過順番を示す情報と共に経路探索指示を前記センタサーバへ送信する経路探索指示部をさらに有し、
前記センタサーバは、
前記ユーザ端末から通過順番を示す情報と共に経路探索指示を受信した場合に、前記地図データベースを参照して、指定された順番でそれぞれの文字列に対応する地点を通過する経路を探索し、探索した経路を示す情報を、前記ナビゲーション装置に送信する経路探索部をさらに有し、
前記ナビゲーション装置は、
前記センタサーバから受信した経路に基づいて経路誘導を実行する経路誘導部をさらに有することを特徴とするＷｅｂ掲示板システム。
【請求項３】
請求項２に記載のＷｅｂ掲示板システムであって、
前記センタサーバは、
施設名に対応付けて、当該施設付近を通る道路の名称、および、当該道路における進行方向毎の待合せ場所を示す画像を格納する待合せ情報格納部と、
施設の名称、道路名、および進行方向を示す情報を受け取った場合に、受け取ったこれらの情報に該当する待合せ場所を示す画像を前記待合せ情報格納部から取得し、取得した画像を、チャットにログインしているユーザのユーザ端末へ送信する待合せ情報提供部と
をさらに有し、
前記記号情報格納部には、待合せ場所を示す記号がさらに格納され、
前記地図データベースには、施設を特定する文字列に対応付けて、当該施設の位置情報、および、当該施設の名称がさらに格納され、
前記記号処理部は、
前記チャットサービス部がユーザ端末から受信したメッセージ内に、前記待合せ場所を示す記号が存在する場合に、当該記号で指定される文字列に対応する地点の位置情報を前記地図データベースから抽出し、抽出した位置情報に待合せ場所である旨を示す情報を対応付け、
前記目的地点情報更新部は、
前記記号処理部が抽出した、待合せ場所を示す文字列および位置情報を前記目的地点情報格納部に追加格納し、前記目的地点情報格納部内の文字列を、対応する位置情報が前記ナビゲーション装置の現在位置に近い順にソートし、ソートした文字列に前記ナビゲーション装置の現在位置に近い順に番号を対応付けて付けて、チャットにログインしているユーザのユーザ端末へ送信し、
前記経路探索部は、
前記ユーザ端末から文字列毎に通過順番を示す情報と共に経路探索指示を受信した場合に、前記地図データベースを参照して、指定された順番でそれぞれの文字列に対応する地点を通過する経路を探索し、探索した経路において、待合せ場所である旨を示す情報が対応付けられている地点については、当該地点の位置情報に対応付けられて前記地図データベースに格納されている施設の名称、当該地点を通過する際に通る道路の名称、および当該地点を通過する際の進行方向を前記待合せ情報提供部へ送ることを特徴とするＷｅｂ掲示板システム。
【請求項４】
請求項３に記載のＷｅｂ掲示板システムであって、
前記待合せ情報提供部は、
前記経路探索部から受け取った施設名、道路名、および進行方向を示す情報に該当する待合せ場所を示す画像が前記待合せ情報格納部内に存在しない場合に、待合せ場所を示す画像を作成してチャットにログインしているユーザのユーザ端末へ送信することを特徴とするＷｅｂ掲示板システム。
【請求項５】
請求項２から４のいずれか一項に記載のＷｅｂ掲示板システムであって、
前記経路誘導部は、
既に設定された経路に従って経路誘導を実行している場合に、前記センタサーバから経路を示す情報を新たに受信したならば、前記ナビゲーション装置のユーザに経路変更を許可するか否かを問い合わせるためのメッセージを通知し、ユーザから経路変更を許可された場合に、誘導中の経路の情報を削除して、新たに受信した経路を設定して経路誘導を実行することを特徴とするＷｅｂ掲示板システム。
【請求項６】
請求項２から５のいずれか一項に記載のＷｅｂ掲示板システムであって、
前記記号情報格納部には、出発時刻を示す記号がさらに格納され、
前記記号処理部は、
前記チャットサービス部がユーザ端末から受信したメッセージ内に、前記出発時刻を示す記号が存在する場合に、当該記号で指定される文字列に対応する時刻を出発時刻として、チャットにログインしているユーザのユーザ端末へ送信することを特徴とするＷｅｂ掲示板システム。
【請求項７】
請求項２から６のいずれか一項に記載のＷｅｂ掲示板システムであって、
前記記号情報格納部には、到着時刻を示す記号がさらに格納され、
前記記号処理部は、
前記チャットサービス部がユーザ端末から受信したメッセージ内に、前記到着時刻を示す記号が存在する場合に、当該記号で指定される文字列に対応する時刻を到着時刻として、チャットにログインしているユーザのユーザ端末へ送信することを特徴とするＷｅｂ掲示板システム。
【請求項８】
請求項１から７のいずれか一項に記載のＷｅｂ掲示板システムであって、
前記チャットサービス部は、
前記ナビゲーション装置からログインされた場合に、当該ナビゲーション装置のＩＤについても、チャットにログインしているユーザのＩＤとして管理し、当該ナビゲーション装置からメッセージを受信した場合に、受信したメッセージをチャットにログインしている他のユーザのユーザ端末へ送信し、
前記ナビゲーション装置は、
前記センタサーバが提供するチャットにログインし、所定のタイミングで、当該ナビゲーション装置の現在位置、目的地点までの所要時間、または走行中の道路の混雑状況のいずれかを含むステータス情報をチャットのメッセージとして前記センタサーバへ送信するメッセージ送信部をさらに有することを特徴とするＷｅｂ掲示板システム。
【請求項９】
請求項８に記載のＷｅｂ掲示板システムであって、
前記チャットサービス部は、
前記ナビゲーション装置がログインしている場合、チャットにログインしているユーザのユーザ端末からメッセージを受信したならば、受信したメッセージを当該ナビゲーション装置へも送信し、
前記ナビゲーション装置は、
前記センタサーバから受信したチャットのメッセージを、音声に変換して出力する音声変換部をさらに有することを特徴とするＷｅｂ掲示板システム。
【請求項１０】
請求項８または９に記載のＷｅｂ掲示板システムであって、
前記センタサーバは、
前記ナビゲーション装置の状態を問い合わせるコマンドに対応付けて、当該コマンドを特定する文字列を格納するコマンド情報格納部をさらに有し、
前記記号情報格納部には、ナビゲーション装置への問合せコマンドを示す記号がさらに格納され、
前記記号処理部は、
前記チャットサービス部がユーザ端末から受信したメッセージ内に、前記問合せコマンドを示す記号が存在する場合に、当該記号で指定される文字列に対応するコマンドを前記記号情報格納部から抽出して前記ナビゲーション装置に送信し、
前記メッセージ送信部は、
前記センタサーバからコマンドを受信した場合に、当該コマンドに対応する処理の実行結果をチャットのメッセージとして前記センタサーバへ送信することを特徴とするＷｅｂ掲示板システム。
【請求項１１】
請求項８から１０のいずれか一項に記載のＷｅｂ掲示板システムであって、
前記ナビゲーション装置は、
運転者が発した音声をテキストに変換して前記メッセージ送信部へ送るテキスト変換部をさらに有し、
前記メッセージ送信部は、
前記ナビゲーション装置のＩＤとは別に、当該ナビゲーション装置が搭載されている車両の運転者のＩＤでも前記センタサーバが提供するチャットにログインし、前記テキスト変換部から受け取ったテキストデータをチャットのメッセージとして前記センタサーバへ送信することを特徴とするＷｅｂ掲示板システム。
【請求項１２】
ナビゲーション装置と、
複数のユーザ端末と、
通信ネットワークを介して前記ナビゲーション装置および前記複数のユーザ端末と通信するセンタサーバと
を備えるＷｅｂ掲示板システムにおける旅行計画支援方法であって、
前記センタサーバが、
前記ナビゲーション装置から当該ナビゲーション装置の現在位置を示す情報を受信した場合に、位置情報格納部内に格納されている前記ナビゲーション装置の現在位置を示す情報を、受信した現在位置を示す情報で更新する位置情報更新ステップと、
チャットにログインしているユーザのＩＤを管理し、チャットにログインしているユーザが使用するユーザ端末からメッセージを受信した場合に、受信したメッセージをチャットにログインしているユーザのユーザ端末へ送信するチャットサービスステップと、
前記チャットサービスステップにおいてユーザ端末から受信したメッセージ内に、前記目的地点を示す記号が存在する場合に、当該記号で指定される文字列に対応する地点の位置情報を、地点を示す文字列に対応付けて当該地点の位置情報を格納する地図データベースから抽出する記号処理ステップと、
前記記号処理ステップにおいて抽出した文字列および位置情報を、前記ナビゲーション装置の現在位置に近い順に、文字列が示す地点の位置情報を対応する文字列と共に格納する目的地点情報格納部に追加格納し、前記目的地点情報格納部内の文字列を、対応する位置情報が前記ナビゲーション装置の現在位置に近い順にソートし、ソートした文字列に前記ナビゲーション装置の現在位置に近い順に番号を対応付けて、チャットにログインしているユーザのユーザ端末へ送信する目的地点情報更新ステップと
を実行し、
前記ユーザ端末が、
ユーザの操作に応じて入力されたメッセージを前記センタサーバへ送信すると共に、前記センタサーバから送信されたメッセージを表示するチャットクライアントステップと、
前記センタサーバから送信された文字列を、前記ナビゲーション装置の現在位置に近い順に並べて表示する目的地点情報表示ステップと
を実行し、
前記ナビゲーション装置が、
当該ナビゲーション装置の現在位置を算出する現在位置算出ステップと、
所定のタイミングで、前記現在位置算出ステップにおいて算出した現在位置を、前記センタサーバへ送信する現在位置送信ステップと
を実行することを特徴とする旅行計画支援方法。
【請求項１３】
ナビゲーション装置および複数のユーザ端末と通信ネットワークを介して通信するセンタサーバであって、
地点を示す文字列に対応付けて、当該地点の位置情報を格納する地図データベースと、
前記ナビゲーション装置の現在位置に近い順に、文字列が示す地点の位置情報を対応する文字列と共に格納する目的地点情報格納部と、
チャットにログインしているユーザのＩＤを管理し、チャットにログインしているユーザが使用するユーザ端末からメッセージを受信した場合に、受信したメッセージをチャットにログインしているユーザのユーザ端末へ送信するチャットサービス部と、
前記チャットサービス部がユーザ端末から受信したメッセージ内に、目的地点を示す記号が存在する場合に、当該記号で指定される文字列に対応する地点の位置情報を前記地図データベースから抽出する記号処理部と、
前記記号処理部が抽出した文字列および位置情報を前記目的地点情報格納部に追加格納する目的地点情報更新部と
を備えることを特徴とするセンタサーバ。
【請求項１４】
請求項１３に記載のセンタサーバであって、
前記ナビゲーション装置の現在位置を示す情報を格納する位置情報格納部と、
前記ナビゲーション装置から当該ナビゲーション装置の現在位置を示す情報を受信した場合に、受信した現在位置を示す情報で前記位置情報格納部内の情報を更新する位置情報更新部と
をさらに備え、
前記目的地点情報更新部は、さらに、
前記目的地点情報格納部内の文字列を、対応する位置情報が前記ナビゲーション装置の現在位置に近い順にソートし、ソートした文字列に前記ナビゲーション装置の現在位置に近い順に番号を対応付けて、チャットにログインしているユーザのユーザ端末へ送信することを特徴とするセンタサーバ。
【手続補正２】
【補正対象書類名】明細書
【補正対象項目名】０００９
【補正方法】変更
【補正の内容】
【０００９】
また、本発明の第三の態様は、ナビゲーション装置および複数のユーザ端末と通信ネットワークを介して通信するセンタサーバであって、
地点を示す文字列に対応付けて、当該地点の位置情報を格納する地図データベースと、
前記ナビゲーション装置の現在位置に近い順に、文字列が示す地点の位置情報を対応する文字列と共に格納する目的地点情報格納部と、
チャットにログインしているユーザのＩＤを管理し、チャットにログインしているユーザが使用するユーザ端末からメッセージを受信した場合に、受信したメッセージをチャットにログインしているユーザのユーザ端末へ送信するチャットサービス部と、
前記チャットサービス部がユーザ端末から受信したメッセージ内に、目的地点を示す記号が存在する場合に、当該記号で指定される文字列に対応する地点の位置情報を前記地図データベースから抽出する記号処理部と、
前記記号処理部が抽出した文字列および位置情報を前記目的地点情報格納部に追加格納する目的地点情報更新部と
を備えることを特徴とするセンタサーバを提供する。
【手続補正３】
【補正対象書類名】明細書
【補正対象項目名】００７５
【補正方法】変更
【補正の内容】
【００７５】
目的地点情報格納部２０１には、例えば図１９に示すように、ナビＩＤ２０１０毎に目的地点テーブル２０１１が格納される。それぞれの目的地点テーブル２０１１には、目的地点を示す文字列２０１２に対応付けて、当該地点の位置情報２０１３、および、当該地点が待合せ場所か否かを示す待合せフラグ２０１４が格納される。待合せフラグ２０１４には、対応する地点が待合せ場所として指定された場合に１が、対応する地点が待合せ場所として指定されていない場合に０が格納される。
【手続補正４】
【補正対象書類名】明細書
【補正対象項目名】００９５
【補正方法】変更
【補正の内容】
【００９５】
そして、チャットサービス部２０９は、特定したテーブルにおいて、受信したログアウト要求に含まれているユーザＩＤに対応付けられている状態を、ログイン中ではない旨を示す情報に書き換え（Ｓ３１３）、当該テーブルに登録されているユーザが全てログアウトしたか否かを判定する（Ｓ３１４）。ログイン中のユーザが存在する場合（Ｓ３１４：Ｎｏ）、チャットサービス部２０９は、再びステップＳ３０４に示した処理を実行する。全てのユーザがログアウトした場合（Ｓ３１４：Ｙｅｓ）、センタサーバ２０は、本フローチャートに示す動作を終了する。